(57)【要約】【課題】  衣類収納ケースにおいて、衣類を先に入れたものから順送りで取り出すようにし、同時に埃などがケース内に入らないようにすることを課題とする。【解決手段】  衣類収納ケースとして、箱体からなる２以上の衣類収納箱と、前記衣類収納箱を重ねて収納できる箱体からなる本体部と、前記本体部の上方に設けられる前記衣類収納箱を入れることができる開口部である投入口と、前記本体部に収納された最下部の前記衣類収納箱の下面側に前記衣類収納箱の前方から奥行き方向に向う隙間が生じるように前記衣類収納箱を支持する下部支持部材と、前記下部支持部材に支持された前記衣類収納箱が通ることができ、かつ、前記隙間が表出するように前記衣類収納箱下端前面に形成される取出口と、取出口に設けられる前記隙間を通る引出しとを有し、引出しを引き出すことにより係合部材が最下段の衣類収納箱に係合して、これを引き出せるようにする。【選択図】  図１
2008022873.tif 000002
【特許請求の範囲】
【請求項１】
箱体からなる２以上の衣類収納箱と、
前記衣類収納箱を重ねて収納できる箱体からなる本体部と、
前記本体部の上方に設けられる前記衣類収納箱を入れることができる開口部である投入口と、
前記本体部に収納された最下部の前記衣類収納箱の下面側に前記衣類収納箱の前方から奥行き方向に向う隙間が生じるように前記衣類収納箱を支持する下部支持部材と、
前記下部支持部材に支持された前記衣類収納箱が通ることができ、かつ、前記隙間が表出するように前記衣類収納箱下端側前面に形成される取出口と、
前記隙間を前記取出口から奥行き方向に通る前後に摺動可能な棒材もしくは板材からなる下面部材と、前記下面部材に上方に出没可能に形成されるとともに、上方側に突出するように弾性体により付勢され、上方側に突出した状態で前記衣類収納箱のいずれかの部分に係合する係合部材と、前記下面部材の前面に設けられる把手部材とからなる引出しと
を有する衣類収納ケース。
【請求項２】
前記隙間は、前記は衣類収納箱の奥行き方向の渡って形成され、
前記下面部材は、前記下部支持部材に支持される前記衣類収納箱の背面に至る長さを有し、
前記係合部材は、前記衣類収納箱の背面に係合する
請求項１に記載の衣類収納ケース。
【請求項３】
前記係合部材は、棒状部材もしくは板状部材が前方に倒れた位置から立ち上がるように回動することにより上方に突出するように形成されるものである
請求項1又は２に記載の衣類収納ケース。
【発明の詳細な説明】
【技術分野】
【０００１】
本発明は衣類を収納するケースに関する。
【背景技術】
【０００２】
従来のタンスや衣類収納ケースなどの衣類用収納家具は、引き出しの中に衣類を入れ収納するものが多いが、このような収納をする場合、人によっては、引き出しの手前の衣類のみを着用し、奥側の衣類を着用しなくなることがある。
これは、通常の衣類収納家具が後に入れたものが手前側に位置し、最も取り出しやすいことに一因があると考えられるので、先に入れたものを順送りで取り出すようにすれば衣類が巡回して万遍なく衣類を着用できることとなるはずである。衣類収納家具においては、このような機能を有するものは存在しなかったが、収納ケースという観点から見ると、下記特許文献１から３に記載されているように商品の陳列ケースに、先に入れたものから順送りに取り出すことができる形状を有するものが存在する。
【特許文献１】特開２０００−２８７７９２号公報
【特許文献２】特開平１０−１５１０４７号公報
【特許文献３】実開平５−６５２５５号公報
【発明の開示】
【発明が解決しようとする課題】
【０００３】
しかし、上記特許文献１から３に記載されるような商品陳列ケースに使用できるものは収納物自体が一定の形状を保持できるものでなければならず、衣類のように柔らかいものには適用することができない。また、衣類ケースは衣類を埃から保護する役割を果たすので、上記の商品陳列ケースのように、取り出す直前の収納物が外部に表出するような形状では衣類収納ケースとしての役割を十分に果たすことができない。
そこで、本発明は、衣類収納ケースにおいて、衣類を先に入れたものから順送りで取り出すようにし、同時に埃などがケース内に入らないようにすることを課題とする。
【課題を解決するための手段】
【０００４】
上記課題を解決するために、本発明は次のような構成を有する。
請求項1に記載の発明は、衣類収納ケースであって、箱体からなる２以上の衣類収納箱と、前記衣類収納箱を重ねて収納できる箱体からなる本体部と、前記本体部の上方に設けられる前記衣類収納箱を入れることができる開口部である投入口と、前記本体部に収納された最下部の前記衣類収納箱の下面側に前記衣類収納箱の前方から奥行き方向に向う隙間が生じるように前記衣類収納箱を支持する下部支持部材と、前記下部支持部材に支持された前記衣類収納箱が通ることができ、かつ、前記隙間が表出するように前記衣類収納箱下端前面に形成される取出口とを有する。そして前記隙間を前記取出口から奥行き方向に通る前後に摺動可能な棒材もしくは板材からなる下面部材と、前記下面部材に上方に出没可能に形成されるとともに、上方側に突出するように弾性体により付勢され、上方側に突出した状態で前記衣類収納箱のいずれかの部分に係合する係合部材と、前記下面部材の前面に設けられる把手部材とからなる引出しが設けられる。
このような構成を有する、衣類収納ケースは、本体部内に衣類収納箱が重ねて入れられ、引出しを引き出すと、係合部材が最も下に位置する衣類収納箱に係合し、これを伴って引出しが取出口から外部へ移動する。この衣類収納箱を取り出し、係合部材を没入させて再び引き出しを押し入れるとともに、取り出した衣類収納箱を投入口から一番上に重ねて入れることで、当初の状態に戻る。
【０００５】
請求項２に記載の発明は、前記衣類収納ケースにおいて、前記隙間は、前記は衣類収納箱の奥行き方向の渡って形成され、前記下面部材は、前記衣類収納箱の背面に至る長さを有し、前記係合部材は、前記衣類収納箱の背面に係合するものである。
請求項３に記載の発明は、前記衣類収納ケースにおいて、前記係合部材は、棒状部材もしくは板状部材が前方に倒れた位置から立ち上がるように回動することにより上方に突出するように形成されるものである。
【発明の効果】
【０００６】
請求項１に記載の発明は、柔らかい衣類を衣類収納箱に入れておけば、衣類収納箱は投入口に入れた順番で引き出しにより引き出されるので、衣類を先に入れたものから順送りで取り出すようにすることができる。また、衣類収納箱は、引出しに引き出されるまでは、本体部内に収納されているので埃などがケース内に入ることを抑制することができる。
請求項２に記載の発明は、前記係合部材は突出することで衣類収納箱の背面に係合し、この状態で衣類収納箱が前方へ押し出されるので、安定した状態で衣類収納箱を移動させることができる。
請求項３に記載の発明は、係合部材が前方に倒れることで没入し、回動することで突出するので、衣類収納箱を取り出した後に、引出しを押し入れる際、係合部材は衣類収納箱の前縁に当たって、自動的に倒れて没入状態となるので、引出しを入れる際に係合部材に触れる手間をなくすことができる。
【発明を実施するための最良の形態】
【０００７】
以下、本発明の実施の形態について、図面を参照しながら説明する。
図１に実施形態に係る衣類収納ケースＸの斜視図を示し、図２に図１のＡ−Ａ断面図を示す。衣類収納ケースＸは、箱体からなる本体部１０、本体１０内部に積み重ねられる扁平な箱体からなる衣類収納箱２０、本体部１０の下端前面で前後に引き出し可能に設けられる引出し３０とから構成される。
【０００８】
本体部１０は、上面板１１、左右の側面板１２、底面板１３、前面板１４、背面板１５から構成される、側面板１２はほぼ長方形状であるが、下端前縁にやや前方に張り出す張り出し部１２ａが形成されている。また、側面板１２の内部下端近傍には、後に詳述する下部支持部材１７が固定されている。底面板１３は長方形状で側面板１２間の張り出し部１２ａを含む底面部分を塞ぐように固定されている。前面板１４は張り出し部１２ａよりも上方から側面板１２の上縁に至る長方形状の板体であり、側面板１２間の前面に固定されている。背面板１５は前面板１４と同じ形状であり、側面板１２間の背面に前面板１４と同じ高さに固定されている。即ち、前面板１４の下端には開口が形成されるが、これが取出口１４ａを構成する。同様に背面板１５の下端にも開口部が形成されている。この開口部は、後方に突出する断面コの字状のカバー１６により塞がれている。上面板１１は、２枚の側面板１２、前面板１４、背面板１５により囲まれる開口を塞ぐ長方形状の板体であり、ヒンジ１１ａにより、開くことができるように一方の側面板１２に固定されている。なお、上面板１１上面には、開く際に使用者が持つための把手１１ｂが、垂直な軸に回動自在に固定されている。上面板１１が開いた際に形成される開口部は、投入口１１ｃを構成する。
【０００９】
引出し３０は、水平に載置される長方形状の下面部材３２と、下面部材３２の前面に垂直に固定される横長の長方形上の垂直部材３１とから構成される。下面部材３２は、本体部１０の底面板１３と同じ長さを有し、幅は取出口１４ａの幅とほぼ同様である。また、垂直部材３１は取出口１４ａとほぼ同じ幅と同じ高さを有する。垂直部材３１の前面には、把手部材３１ａが固定されている。引出し３０は、本体部１０の底面板１３上を前後に摺動する。図３に衣類収納ケースＸの引出し３０を前方に引き出し、上面板１１を開いた状態を表す斜視図を示す。なお、便宜上、衣類収納ケースＸ内の衣類収納箱２０は省略している。引出し３０の下面部材３２の後縁中央には、ヒンジにより形成される係合部材３２ａが固定されている。係合部材３２ａは、ヒンジを構成する一枚の板部分が、回動軸が下面部材３２の後縁に沿うように下面部材３２に固定され、他方の板部分は、垂直より後方に倒れないように回動が規制されているとともに、図示しないバネにより垂直に立つように付勢されている。即ち係合部材３２は、前方に倒れることで没入状態となり、ここから後方に回動して立ち上がることで突出状態となる。また、この垂直に立ち上がる板部分の高さは、立ち上がった状態において、取出口１４ａの高さよりもやや低く、後述する下部支持部材に支持される衣類収納箱２０の背面に係合するとともに、引出し３０が最も奥側に位置した状態において、前方に回動しても衣類収納箱２０に当たることがない程度に設定される。
【００１０】
図２、図３に示すように本体部１０の側面板１２のそれぞれの内部の底部近傍には、細長い板状体からなる下部支持部材１７が底面板１３に対して平行に固定されている。下部支持部材１７と底面板１３との間隔は、引出し３０の下面部材３２の厚さよりもやや広い程度に設定される。即ち、引出し３０の下面部材３２の左右の端部は、下部支持部材１７と本体部１０の底面板１３との間を通って移動することとなる。
【００１１】
衣類収納箱２０は、上面の開放した扁平な箱体であり、上面に回動して開くカバー板２１が設けられている。図４にカバー板２１を開いた状態の衣類収納箱２０を表す斜視図を示す。衣類収納箱２０の下面の左右両縁には、移動抵抗を少なくするように先端が尖がった断面二等辺三角形状のレール２２が固定されている。衣類収納箱２０のレール２２下端からの高さは前記取出口１４ａの高さから前記下部支持体１７の底面板１３からの高さを引いた高さよりやや低くなるように設定される。また、衣類収納箱２０の幅と奥行きは、それぞれ、投入口１１ｃの幅と奥行きよりやや狭く設定されている。このような構成により衣類収納箱２０は、ほとんどがたつくことなく、本体部１０内に積み重ねて収納することができる。
【００１２】
次に、以上のような構成を有する衣類収納ケースＸの使用方法について説明する。まず、最初は、本体部１０の上面板１１を開いて、内部に収納されている衣類収納箱２０をすべて取出し、衣類収納箱２０のカバー板２１を開いて、それぞれの衣類収納箱２０内に畳んだ衣類を収納する。その後、本体部１０の投入口１１ｃから衣類収納箱２０を順次入れてゆき、本体部１０内に衣類収納箱２０を重ねた状態で収納する。この状態の縦断面図を図５(ａ)に示す。この状態において、最も下に位置する衣類収納箱２０は、下部支持部材１７により支持されており、底面板１３と衣類収納箱２０との間には手前から奥側に渡る隙間が形成されている。
この状態から、衣類を取り出すには引出し３０を手前に引き出せばよい。これにより、まず、引出し３０の係合部材３２ａが最も下に位置する衣類収納箱２０の背面に当接して係合する。そのまま、引出し３０を引き出すと、引出し３０と係合部材３２ａに係合する衣類収納箱２０が手前側に移動する。引出し３０を図５（ｂ）のようにほぼ全部引き出すと、衣類収納箱２０は、下部支持部材１７の支持がなくなるので、引出し３０上に落下し、残った、本体部１０内の引出し３０も、全体として落下して、この中で最も下部に位置する衣類収納箱２０が下部支持部材１７により支持される状態となる。その後、図５（ｃ）に示すように、衣類収納箱２０を引出し３０から取り出し、さらに、カバー板２１を開けて中の衣類を取り出す。衣類収納箱３０を取り出したら、引出し３０を今度は奥側に移動させて収納する。この際、図５（ｃ）に示すように、既に下部支持部材１７には別の衣類収納箱２０が乗っているので、引出し３０の係合部材３２ａは、この衣類収納箱２０の前面に当たることとなる。しかし、係合部材３２ａは、前方に倒れるように構成されているので、このまま、引出し３０を奥側に移動させると、係合部材３２ａは衣類収納箱２０の前面に押されて前方に倒れ、図５（ｄ）に示すような状態となり、引出し３０はそのまま奥側へ移動できる。引出し３０が、最も奥側まで移動すると、係合部材３２ａは衣類収納箱２０の底面に押さえられなくなるので、バネにより回動して立ち上がり、図５（ａ）に示すような突出した状態となる。なお、衣類を取り出されて空になった衣類収納箱２０は、再び衣類を収納し、本体部１０の上面板１１を開き、投入口１１ｃから本体部１０内に戻す。
以上のような動作を行うことにより、衣類収納箱２０は積み重ねた順に取り出され、取り出された衣類収納箱２０は再び上側に積み重ねられることとなるので、引出し３０を引き出すごとに、順番に別の衣類を取り出すことができる。また、引出し３０を奥側に収納することで、衣類収納ケースＸ内に埃などが侵入しなくなり、内部の衣類も保護することができる。
【図面の簡単な説明】
【００１３】
【図１】実施形態に係る衣類収納ケースの斜視図である。
【図２】図１のＡ−Ａ断面図である。
【図３】上面板を開くとともに引出しを引き出した状態の衣類収納ケースの斜視図である。
【図４】カバー板を開いた状態の衣類収納箱の斜視図である。
【図５】（ａ）から（ｄ）は衣類収納ケースの動作を示す縦断面図である。
【符号の説明】
【００１４】
X    衣類収納ケース
１０    本体部
１１ｃ  投入口
１４ａ  取出口
１７    下部支持部材
２０    衣類収納箱
３０    引出し
３１ａ  把手部材
３２ａ  係合部材
【図１】
2008022873.tif 000003
【図２】
2008022873.tif 000004
【図３】
2008022873.tif 000005
【図４】
2008022873.tif 000006
【図５】
2008022873.tif 000007